(57)【要約】      （修正有）【課題】省スペースで好ましい外観態様で御札等を祀ることができるとともに、収納性、可搬性に優れた御札等の立設用具を提供する。【解決手段】平板状からなる基台１に対して、平板状からなる後方支持片２と前方支持片３とを取付け・取外し自在とし、御札等の立設用具の組立状態から部品状態に、あるいは部品状態から組立状態に移行可能とする。両支持片の基台１への取付け・取外しに関し、基台１の上面に相互に平行に切欠形成される後方嵌合溝４と前方嵌合溝５に対し、対応する後方支持片２の底部と前方支持片３の底部とを嵌合可能に形成する。組立状態において基台１に対して直立状態で鉛直方向に延在する後方支持片２を背高にし、他方、前方支持片３を背低にすることで、長尺状の御札を後方支持片２に胴部背面を立て掛け状態で立設したときに、正面から御札を視認できるようにする。【選択図】図４
0003140621.tif 000002
【実用新案登録請求の範囲】
【請求項１】
平面上に載置可能とされ、上面において略直線状に、相互に平行状態で切欠形成される２つの嵌合溝を備えることとしてなる基台と、
基台上面のうちの一側に形成された嵌合溝にその底部を嵌合可能とされ、嵌合状態において基台の両嵌合溝間に両嵌合溝と略平行に立設状態で配設され、載置される全体長尺状の御札等の、基台上面に対する一定高さ位置における背面部を立て掛け状態で支持可能とする全体略平板状からなる後方支持片と、
基台上面のうち他側に形成された嵌合溝にその底部を嵌合可能とされ、基台の両嵌合溝間に両嵌合溝と略平行に立設状態で配設されて載置され、上記後方支持片においてその背面部を立て掛け状態で支持される全体長尺状の御札等の、底部前面部を立て掛け状態で支持可能とする全体略平板状からなる前方支持片と、
からなる御札等の立設用具。
【請求項２】
前記基台の上面において略直線状に相互に平行状態で切欠形成される２つの嵌合溝のいずれかあるいはそれぞれはあり溝状とされ、
前記後方支持片と前方支持片のいずれかあるいはそれぞれの底部は該嵌合溝に嵌合可能なありほぞ状に形成されることを特徴とする請求項１に記載の御札等の立設用具。
【請求項３】
基台、後方支持片、前方支持片のそれぞれを木材により形成することとしてなる請求項１に記載の立設用具。
【考案の詳細な説明】
【技術分野】
【０００１】
神社や寺院から尊配される御札や護符等を棚等に祀るのに用いられ、該御札等を立設して平面に載置可能な組立状態から収納性と可搬性に優れた部品状態への移行を可能とする御札等の立設用具に関する。
【背景技術】
【０００２】
近年ではマンションやアパートなど居住空間の比較的限られた住居が増え、生活空間を維持しながら御札等を立設可能な神棚や仏壇等を設置可能な住居が減少している。そのため省スペースで御札等を立設可能な御札等の立設用具が求められる傾向にある。こうした需要を満たすため、例えば実開昭５４−３８５９８号に開示されるような省スペースで御札等を祀ることのできる御札等の立設用具が考案されている。
【特許文献１】実開昭５４−３８５９８号
【０００３】
しかしながら、このような御札等の立設用具は御札等を支持するためのそれぞれの部材が固定式であるため、不使用時の収納にひどく嵩張るものであり、また上に物をのせるなど負荷をかけたり、衝撃を与えると簡単に破損してしまうことから、収納性に問題があった。また当該御札等の立設用具を商品として搬送する際においても、この収納性の悪さから安定的な搬送が困難であり搬送効率が悪く、搬送しても一部が破損してしまうなどの問題があった。
【０００４】
こうした問題を解消するため、例えば実開平３−９８６８０号に開示される折りたたみ式の御札等の立設用具が考案されている。当該折りたたみ式の御札等の立設用具においては、基台と御札の支持片の２つの板材をヒンジを介して接続しおくものであり、使用時には支持片をＬ字状に９０度起こした後、基台に押さえバネを取り付けて御札等を支持片に挟み付けた状態でＬ字状に付勢し、不使用時には基台から押さえバネを取り外した後、Ｌ字状に起こした支持片を倒して基台上に折りたたむものである。該折りたたみ式御札等の立設用具では、使用時に固定式の御札等の立設用具と同等の安定性を保ちながら、御札等不使用時に折りたたんだ状態において収納性、可搬性に富んでおり、一定の利便性を有するものであった。
【特許文献２】実開平３−９８６８０号
【０００５】
しかしながら、当該折りたたみ式の御札等の立設用具においては、金属製のヒンジ、ねじ、押さえバネなどを用いるため、製造コスト・廃棄コストが嵩み、環境衛面から好ましいものでなかった。また上記のようにヒンジで御札の支持片を立て、押さえバネで御札等を挟み付ける機械的構成は、御札等の立設用具として最も肝心とされるべき御札等の神聖さや尊厳さを損なうもので外観上好ましくなかった。
【考案の開示】
【考案が解決しようとする課題】
【０００６】
本考案は、こうした問題点を解消するものであり、省スペースで好ましい外観態様で御札等を祀ることができるとともに、収納性、可搬性に優れた御札等の立設用具を提供することを目的とする。また、使用状態において安定的に御札等を立設し、御札等を祀ることのできる御札等の立設用具を提供することを目的とする。さらに、製造コスト・廃棄コストが低廉で環境衛面からも好ましい御札等の立設用具を提供することを目的とする。
【課題を解決するための手段】
【０００７】
上記課題を解決するため、本願の請求項１に係る考案は、平面上に載置可能とされ、上面において略直線状に、相互に平行状態で切欠形成される２つの嵌合溝を備えることとしてなる基台と、基台上面のうちの一側に形成された嵌合溝にその底部を嵌合可能とされ、嵌合状態において基台の両嵌合溝間に両嵌合溝と略平行に立設状態で配設され、載置される全体長尺状の御札等の、基台上面に対する一定高さ位置における背面部を立て掛け状態で支持可能とする全体略平板状からなる後方支持片と、基台上面のうち他側に形成された嵌合溝にその底部を嵌合可能とされ、基台の両嵌合溝間に両嵌合溝と略平行に立設状態で配設されて載置され、上記後方支持片においてその背面部を立て掛け状態で支持される全体長尺状の御札等の、底部前面部を立て掛け状態で支持可能とする全体略平板状からなる前方支持片とで御札等の立設用具を構成する。
【０００８】
また本願の請求項２に係る考案は、基台の上面において略直線状に相互に平行状態で切欠形成される２つの嵌合溝のいずれかあるいはそれぞれはあり溝状とされ、後方支持片と前方支持片のいずれかあるいはそれぞれの底部は該嵌合溝に嵌合可能なありほぞ状に形成されることを特徴とする。
【０００９】
また本願の請求項３に係る考案は、基台、後方支持片、前方支持片のそれぞれを木材により形成することを特徴とする。
【考案の効果】
【００１０】
したがって、本願の請求項１に係る考案は、省スペースで好ましい外観態様で御札等を祀ることができるとともに、不使用時に収納性、可搬性に優れ、使用時に安定的に御札等を立設することができ、かつ製造コスト・廃棄コストが低廉で環境衛面からも好ましい御札等の立設用具を提供することが可能である。
【００１１】
また本願の請求項２に係る考案は、あり溝状の嵌合溝と、ありほぞ状に形成された前方支持片と後方支持片の各底部との嵌合が安定的であるので、特に安定的に御札等を支持可能な御札等の立設用具を提供することが可能である。
【００１２】
また本願の請求項３に係る考案は、木材から構成することとしたため、製造コスト・廃棄コストが低廉で、特に廃棄の際に特別な処理をすることなく燃焼させることができるので、環境衛生上好ましい御札等の立設用具を提供することが可能である。
【考案を実施するための最良の形態】
【００１３】
本考案を実施するための最良の形態について、添付図面を参照しながら説明を行う。図１は本実施形態に係る考案を構成する基台１、後方支持片２、前方支持片３の各部材を並べて示したものであり、御札等を立て掛け状態で立設する組立て状態を構成する前段階としての部品状態を示すものである。
【００１４】
基台１は矩形状の平板部材から構成される。図１中、基台１の長手方向の奥行側を後方とし手前側を前方として、基台１の上面には後方嵌合溝４と前方嵌合溝５からなる２つの嵌合溝が切欠形成されている。これら２つの嵌合溝は、それぞれの嵌合溝が相互に平行状態となるような略直線状の形状をもって形成され、基台１の短手方向と同方向に基台１の側面−側面間を通じて均一の溝深さで切欠かれている。矩形状からなる基台１の短手方向をなす幅は、長尺状の御札等を安定的に支持可能とするため、支持する御札等の幅よりも長めに設定される。
【００１５】
後方支持片２は全体略矩形状の平板部材から構成され、その底部６を基台１の上面に切欠形成された嵌合溝のうちの後方嵌合溝４と嵌合するものとされる。底部６は矩形状に形成される後方支持片２の長手方向一端部側に形成される。後方支持片２は該底部６を後方嵌合溝４に嵌合され、基台１上の２つの嵌合溝４、５間で立設されて直立状態をなす長尺状の御札等の胴部背面を支持するものとされる。そのため、長尺状の御札等の底部前面を支持する後述の前方支持片３の同様の直立状態に対して背高となるように、基台１に対する直立状態において後方支持片２の長手方向が延在する高さを設定されている。また矩形状からなる後方支持片２の短手方向をなす幅は、長尺状の御札等の背面を安定的に支持可能とするため、支持する御札等の幅よりも長めに設定され、基台１の幅と同程度かやや短い程度とされる。なお、本実施形態においては底部６を後方支持片２の長手方向の両端部側で形成可能としているが、嵌合される基台１の後方嵌合溝４との間で後方支持片２の長手方向の一端部側を特有の嵌合形状とすることもできる。この点については後述の実施例において説明を行う。
【００１６】
前方支持片３は全体略矩形状の平板部材から構成され、その底部７を基台１の上面に切欠形成された嵌合溝のうちの前方嵌合溝５と嵌合するものとされる。前方支持片３は後方支持片２と同様に、基台１と嵌合して直立状態で延在されるものであるが、後方支持片２の直立状態における高さと異なる高さをなすように形成される。すなわち、前方支持片３の底部７は矩形状に形成される前方支持片３の短手方向の一端部側に形成される。当該底部７を前方嵌合溝４に嵌合される前方支持片３は、基台１上の嵌合溝４、５間で立設されて直立状態をなす長尺状の御札等の底部前面を前方から胴部前面を視認できる状態で支持されることとなる。そのため、長尺状の御札等の胴部背面を支持する前述の後方支持片２の同様の直立状態に対して背低となるように、基台１に対する直立状態において前方支持片３の短手方向が延在するよう高さを設定されている。なお、本実施形態においては底部７を前方支持片３の短手方向の両端部側で形成可能としているが、嵌合される基台１の前方嵌合溝５との間で前方支持片３の短手方向の一端部側を特有の嵌合形状とすることもできる。この点については後方支持片２の底部６と同様に後述の実施例において説明を行う。
【００１７】
図２は基台１に対する後方支持片２を嵌合する様子を示している。後方支持片２の基台１に対する取付けは、テーブル、机、本棚などユーザが所望する平面に載置された基台１に対して、後方支持片２を上方から押し付けるか、あるいは側方からスライドさせて嵌合させることで行う。上述のように、後方支持片２は長手方向の両端部側のいずれかの端部を底部６とし、後方嵌合溝４と嵌合することを可能としている。後方支持片２は基台１に嵌合した状態で基台１に対して直立状態をなし、その長手方向が鉛直方向に延在するように配設されることとなる。
【００１８】
続いて図３は基台１に対する前方支持片３を嵌合する様子を示している。前方支持片３の基台１に対する取付けは、後方支持片２の基台１に対する組立てと同様に、平面に載置された基台１に対して、後方支持片２を上方から押し付けるか、あるいは側方からスライドさせて嵌合させることで行う。ただし、上述のように前方支持片３は、基台１に対する後方支持片２の直立状態における高さと異なる高さをなすように形成され、後方支持片２に対して短手方向における両端部側のいずれかの端部を底部７とし、前方嵌合溝５と嵌合することを可能としている。前方支持片３は基台１に嵌合した状態で基台１に対して直立状態をなし、その短手方向が鉛直方向に延在するように配設されることとなる。すなわち、前方支持片３は基台１に対する直立状態において背低となるように構成されている。
【００１９】
こうして基台１に対して後方支持片２と前方支持片３を取付けることにより、図４に示すような本実施形態に係る考案品の組立状態が形成されることとなる。当該組立状態において、後方支持片２と前方支持片３は、相互に平行状態となるように切欠形成された後方嵌合溝４と前方嵌合溝５との嵌合に対応し、対向するそれぞれの面についても相互に平行な面を構成することとなる。この基台１上の後方支持片２と前方支持片３とで挟まれる領域に御札等を立設することが可能となる。
【００２０】
図５は、組立状態の御札等の立設用具１０に御札等を立て掛けて立設した様子を示すものである。全体長尺状の御札８は、その底部前面を前方支持片３により支持されるとともに、その胴部背面を後方支持片２により支持される。すなわち、基台１の後方嵌合溝４と前方嵌合溝５との間に、両嵌合溝に直立状態で延在された後方支持片２と前方支持片３とを介して略平行に立設状態で配設されて載置され、後方支持片２においてその胴部背面部を立て掛け状態で支持されることで、両支持片間に立設されることとなる。こうして立設された全体長尺状の御札８は、御札等の立設用具１０の前方側すなわち正面において見栄え良く祀ることを可能とされる。すなわち、基台１に直立状態で延在する前方支持片３は背低に形成されているため、御札等の立設用具１０の前方側から御札８を眺めたときに御札８の前方を大きく遮ることなく立設することができる。したがって、組立状態の御札等の立設用具１０は、基台１を載置することのできるテーブル、机、本棚など平面スペースがあれば、ユーザが所望の場所に正面から指向性よく省スペースで御札等を立設して、文字等が書かれたその前面側を視認させることができる。
【００２１】
このような御札等の立設用具１０を構成する各部材については、プラスティックや強度をもたせた紙材などを用いて構成することができるが、御札等の備える神聖さや尊厳さを維持するために、木材であることが好ましく、特に護摩木材として利用される白木材等が最適である。
【００２２】
御札等の立設用具１０は、その組立状態から解体して容易に部品状態に戻すことができる。すなわち組立状態の基台１から、後方支持片２および前方支持片３を取外すことで、それぞれの部品状態に戻すことができる。図６は組立状態から部品状態に戻した様子を示すものである。この図から理解されるように、御札等の立設用具１０を構成する各部品としての基台１、後方支持片２、前方支持片３のそれぞれは、矩形状の平板材として構成されるため、それぞれを積み重ねてまとまりよく片すことができる。したがって、収納性がよく、受験勉強時の合格祈願や旅行時の交通安全祈願など時節を選んで用いる御札等についての不使用時の取扱いが簡便となる。
【００２３】
さらに、本実施形態に係る考案品は部品状態で取扱うことが容易であり、可搬性に優れている。本実施形態に係る考案品は部品状態において、それぞれの構成部材を積み重ねてまとまりよく収納でき、負荷や衝撃にも強いため、袋や箱などの包装物に収容して安定的な搬送が可能となる。また、図７に示すように袋１１に御札８とともに収容して搬送することも可能である。したがって本実施形態に係る考案品は神社や寺院で尊配される御札等とセットにして販売することに適しており、流通業者やユーザにとっても利便性の高いものである。
【実施例】
【００２４】
図８は、本考案の他の実施例を示すものである。本実施例では基台２１に対する後方支持片２２と前方支持片２３の嵌合をあり継ぎ状に行うものである。すなわち、基台１の上面において略直線状に相互に平行状態で切欠形成される後方嵌合溝２４と前方嵌合溝２５の２つの嵌合溝をあり溝状とし、後方支持片の底部２６と前方支持片の底部２７をそれぞれが対応する嵌合溝に嵌合可能なありほぞ状に形成することで、本実施例では基台２１に対する後方支持片２２と前方支持片２３の嵌合をあり継ぎ状に行うことを可能としている。
【００２５】
この実施例の構成においては、基台２１の側方から両支持片２２、２３をスライドさせて嵌合させることで行うこととなる。すなわち、本実施例では両支持片の基台２１に対する嵌合が基台２１の側方からのスライド方向のみに規制され、嵌合された両支持片が転倒などによって基台２１の上面方向にはずれることがない。したがって、本実施例では、御札等を安定した状態で立設することが可能である。なお、本実施例では後方支持片２２と後方嵌合溝２４、前方支持片２３と前方嵌合溝２５のそれぞれの嵌合をあり継ぎ状に行うとしたが、いずれか一方のみの嵌合をあり継ぎ状に行う構成こととしてもよい。また、図示しないがこの他にも嵌合溝と支持片の嵌合を凹凸などの形状にして嵌合させても良い。この他の構成については、本考案の実施形態として説明した構成と変わらないので説明を省略する。
【産業上の利用可能性】
【００２６】
本考案に係る御札等の立設用具は、収納性、可搬性に優れているため、特に神社、寺院において尊配される御札等とともに提供するのに際して利用することが可能である。
【図面の簡単な説明】
【００２７】
【図１】実施形態における本考案の構成部材を示す斜視図である。
【図２】同上の基台に対する後方支持片の嵌合態様を示す斜視図である。
【図３】同上の基台に対する前方支持片の嵌合態様を示す斜視図である。
【図４】同上の組立状態を示す側面図である。
【図５】同上の組立状態において御札等を立設させた使用状態を示す斜視図である。
【図６】同上における不使用時の部品状態を示す斜視図である。
【図７】同上の部品状態において、御札等とともに袋に収納された態様を示す斜視図である。
【図８】実施例における本考案の基台と、前方支持片及び後方支持片とを嵌合させた組立状態を示す側面図である。
【符号の説明】
【００２８】
１、２１              基台
２、２２              後方支持片
３、２３              前方支持片
４、２４              後方嵌合溝
５、２５              前方嵌合溝
６、７、２６、２７    支持片の底部
８                    御札
９                    袋
１０、２０            御札等の立設用具
【図１】
0003140621.tif 000003
【図２】
0003140621.tif 000004
【図３】
0003140621.tif 000005
【図４】
0003140621.tif 000006
【図５】
0003140621.tif 000007
【図６】
0003140621.tif 000008
【図７】
0003140621.tif 000009
【図８】
0003140621.tif 000010